(57)【特許請求の範囲】
【請求項１】
可撓性を有する鞘管内に挿通されて、建物の外壁の内側に配管される、可撓性を有する給液管を、前記外壁の外側に臨ませるように配管する配管方法であって、
前記外壁に、その外面から内面に進むにつれて上方に向かうように、傾斜して穿設される貫通孔を設け、
前記貫通孔を介して、前記外壁の内側に配管された前記鞘管の一方端を前記外壁の外側に引き出し、
前記鞘管の一方端に、継手を収容可能な給液ボックスのボックス本体を接続し、前記鞘管を前記外壁内に押し戻すようにして、前記ボックス本体を、前記外壁の外側において前記貫通孔を覆うように前記外壁に取り付け、
次いで、前記鞘管内に、前記給液管を挿通するとともに、前記鞘管の一方端側に位置する、前記給液管の一方端を、前記ボックス本体の前面から前記外壁の外側に出し、
前記給液管の一方端に、前記継手を接続し、前記給液管を前記ボックス本体内に押し込むようにして、前記継手を前記給液ボックス内に収容することを特徴とする、給液管の配管方法。
【発明の詳細な説明】
【０００１】
【発明の属する技術分野】
この発明は、建物の外壁の内側に配管される給液管を外壁の外側に臨ませる、給液管の配管方法に関するものである。
【０００２】
【従来の技術】
従来、壁に沿うようにしてその壁の内側に配管される、給液管を、壁の外側に臨ませる配管構造として、例えば、特公平６−１５９１２号に示される、鞘管とその鞘管に通される給水管とからなる二重配管構造があった。かかる配管構造２１は、図９に示すように、給液管２２、鞘管２３、壁２４に穿設された貫通孔２４ａ、給液ボックス２５および、継手２６から構成されていた。ここで、貫通孔２４ａは、壁２４の厚さ方向と同一方向、つまり壁面に直交する方向に穿設されていた。そして、給液ボックス２５は、一方側２５ａが、壁２４の外側に臨むよう、また、他方側２５ｂが、壁２４の内側においてその壁２４に沿うよう配備され、その他方側２５ｂには、鞘管２３が接続された。継手２６は、給液ボックス２５内に収容されて、一方端２６ａが壁２４の外側に臨み、他方端２６ｂが、鞘管２３内に挿通された給液管２２に接続された。
【０００３】
この配管構造２１において、継手２６を給液ボックス２５内に収容する際には、図１０に示すように、始めに、一旦、給液管２２の一方端２２ａが壁２４の外側に引き出された。そして、その引き出された給液管２２の一方端２２ａに、継手２６の他方端２６ｂが接続され、その後に、給液管２２を給液ボックス２５および鞘管２３内に押し込むようにして、継手２６が給液ボックス２５内に収容された。
【０００４】
【発明が解決しようとする課題】
ところで、従来の配管構造２１を、外壁に適用すると、貫通孔２４ａが、外壁に穿設されることとなり、その貫通孔２４ａを介して建物の外から雨水が浸入する虞があった。
【０００５】
また、外壁が、例えば、ＡＬＣパネル（通常、厚さ７５ｍｍないし１００ｍｍ程度）等からなり、壁厚が厚い場合には、外壁の内側から貫通孔２４ａに入る部分で、給液管２２は、急激に湾曲することとなり、継手２６を給液ボックス２５内に収容する際に、その給液管２２を、外壁の外側に引き出したり、給液ボックス２５内に押し込んだりする作業が困難であり、場合によっては、給液管２２が座屈することも考えられた。
【０００６】
この発明は、上記した従来の欠点を解決するためになされたものであり、その目的とするところは、建物の外壁の内側に配管される給液管を外壁の外側に臨ませる配管構造において、外壁の内側への雨水の浸入を防ぐことができる、給液管の配管方法を提供することにある。
【０００７】
また、他の目的は、施工の際の、給液管を、外壁の外側に出したり、または、給液ボックス内に押し込んだりという、給液管の出し入れ作業を容易にすることができる、給液管の配管方法を提供することにある。
【０００８】
【課題を解決するための手段】
この発明に係る給液管の配管方法は、前記目的を達成するために、次の構成からなる。すなわち、
【０００９】
【００１０】
【００１１】
請求項１に記載の発明に係る、給液管の配管方法は、可撓性を有する鞘管内に挿通されて、建物の外壁の内側に配管される、可撓性を有する給液管を、前記外壁の外側に臨ませるように配管する配管方法であって、次の手順により配管される。
【００１２】
１）前記外壁に、その外面から内面に進むにつれて上方に向かうように、傾斜して穿設される貫通孔を設ける。
【００１３】
２）前記貫通孔を介して、前記外壁の内側に配管された前記鞘管の一方端を前記外壁の外側に引き出す。
【００１４】
３）前記鞘管の一方端に、継手を収容可能な給液ボックスのボックス本体を接続し、前記鞘管を前記外壁内に押し戻すようにして、前記ボックス本体を、前記外壁の外側において前記貫通孔を覆うように前記外壁に取り付ける。
【００１５】
４）次いで、前記鞘管内に、前記給液管を挿通するとともに、前記鞘管の一方端側に位置する、前記給液管の一方端を、前記ボックス本体の前面から前記外壁の外側に出す。
【００１６】
５）前記給液管の一方端に、前記継手を接続し、前記給液管を前記ボックス本体内に押し込むようにして、前記継手を前記給液ボックス内に収容する。
【００１７】
上記配管方法により、貫通孔は、外壁の外面から内面に進むにつれて上方に向かうように、傾斜して穿設されるので、仮に、この貫通孔内に、雨水が、入り込んだとしても、その雨水は、貫通孔に沿って下方、つまり外壁の外面側に流れて、外側に排出される。また、貫通孔が、このように傾斜して穿設されているので、貫通孔の上方側の外壁の内面から、貫通孔に至る角度が鈍角となっている。従って、給液管が、外壁の内側を、貫通孔の上方側から配管される場合には、上記手順４）および５）における、給液管を、外壁の外側に出したり、また、給液ボックス内に押し込んだりする作業において、給液管が、外壁の内側から貫通孔に入る部分で、滑らかに湾曲する。
【００１８】
【発明の実施の形態】
以下、この発明に係る給液管の配管方法の実施の形態を図面に基づいて説明する。
【００１９】
図１ないし図８は、本発明に係る給液管の配管方法の一実施の形態を示す。図１および２は、給液管の配管構造を示し、図中符号１は、建物である。２は、建物１の外側の壁となる外壁、３は、室内側の壁となる内壁である。４は、外壁２と内壁３との間に形成される壁内空間である。５は、可撓性を有する鞘管である。６は、可撓性を有する給液管であり、鞘管５内に挿通されて、建物１の外壁２に沿うようにしてその外壁２の内側である壁内空間４に配管される。７は、前記給液管６を、外壁２の外側に臨ませる配管構造であり、前記給液管６と、前記鞘管５と、貫通孔２ａと、給液ボックス８と、継手９とからなっている。
【００２０】
ここで、外壁２は、例えば、７５ｍｍないし１００ｍｍの厚さのＡＬＣパネルからなる。給液管６は、架橋ポリエチレン樹脂製であり、可撓性を有するものの、相当の剛性を有し、急なカーブで湾曲させることが困難となっている。
【００２１】
貫通孔２ａは、外壁２に、その外面２ｂから内面２ｃに進むにつれて上方に向かうように、例えば、水平線から４５度傾いた方向に傾斜して、穿設されている。
【００２２】
給液ボックス８は、ボックス本体８ａとカバー８ｂとから構成されている。さらに、ボックス本体８ａは、継手９が収容される本体部材８ｃと、鞘管５が挿入される鞘管取付部材８ｄと、その挿入された鞘管５を止める止め具８ｅとからなっている。本体部材８ｃは、継手９が収容されるように枠状に形成された枠状部８ｆを有し、その枠状部８ｆは、貫通孔２ａと、外壁２の外側とにかかるように位置している。そして、外壁２の外側となる、枠状部８ｆの前端からは、その枠状部８ｆの全周からその外周側に直角に折れ曲がって、正面視が長方形状となるように延出された前面部８ｇが形成されている。さらに、その前面部８ｇの周縁からは、外壁２の外面２ｂに達するように直角に折れ曲がって延びる側部８ｈが形成されている。そして、前面部８ｇには取付孔が穿設（図示せず）されており、ネジ等の固着具１０、１０により、この本体部材８ｃを含むボックス本体８ａが、外壁２の外側において貫通孔２ａを覆うようにして、外壁２の外面２ｂに取り付けられる。また、枠状部８ｆの後端からは、絞られるようにして径小となった円筒状の取付部８ｉが形成されている。
【００２３】
鞘管取付部材８ｄは、円筒状に形成されて、前端部分の被取付部８ｊが、本体部材８ｃの取付部８ｉに螺合するようにして嵌められている。そして、鞘管取付部材８ｄの中間から後端部分にかけて、鞘管５の一方端５ａが挿入される鞘管挿入部８ｋとなっている。
【００２４】
止め具８ｅは、鞘管取付部材８ｄの後端部分の外周を覆うように、円筒状に形成されて、その鞘管取付部材８ｄの後端部分に、接着または圧入等により取り付けられている。そして、止め具８ｅは、後部が、鞘管取付部材８ｄよりも後方において、内側に折り返されるようにして延びており、その延びた先端には、軸心に向かって突出する掛止突起８ｍが形成されている。そして、この掛止突起８ｍが、鞘管取付部材８ｄに挿入された鞘管５の凹溝５ｂに嵌まることで、この鞘管５の一方端５ａは、止め具８ｅを介して鞘管取付部材８ｄに取り付けられる。
【００２５】
また、カバー８ｂは、ボックス本体８ａの枠状部８ｆの前端側を塞いで、前面部８ｇおよび側部８ｈを覆うように箱状に形成されている。そして、カバー８ｂの前面には、後述する継手９の第１の接続ナット９ｂが挿通する開口孔８ｎが形成されている。
【００２６】
こうして、給液ボックス８は、外壁２の外側において貫通孔２ａを覆うようにして、外壁２に取り付けられるとともに、貫通孔２ａを介して鞘管５の一方端５ａに接続される。
【００２７】
継手９は、中間部分で折れ曲がった、筒状形状をしており、一方端９ａには、接続のための第１の接続ナット９ｂ、同様に、他方端９ｃには、接続のための第２の接続ナット９ｄが備えられている。また、第１の接続ナット９ｂには、その基端部分に、両側に延びるフランジ部９ｅが形成されている。この継手９は、ボックス本体８ａの枠状部８ｆ内に収容されて、フランジ部９ｅが、ボックス本体８ａの前面部８ｇに、皿小ネジ等の固着具１１、１１により固定されることで、ボックス本体８ａに取り付けられている。そして、継手９の一方端９ａの第１の接続ナット９ｂの先端部分が、カバー８ｂの開口孔８ｎから突出するようにして、外壁２の外側に臨んでいる。そして、継手９の他方端９ｃは、第２の接続ナット９ｄにより、鞘管５の一方端５ａ側に位置して、その鞘管５から突出する、給液管６の一方端６ａに接続される。こうして、給液管６は、継手９を介して外壁２の外側に臨み、例えば、継手９の一方端９ａの第１の接続ナット９ｂにエルボー１２等が接続されて、外壁２の外側の配管と連通する。
【００２８】
図３は、上記配管構造を、分岐用ヘッダーを使用して、建物１の各部に水を供給する、鞘管ヘッダー構造に適用した例を示す。図中符号１３は、一階の天井と二階の床との間の天井内部空間である。１４は、屋外の水道管、１５は、分岐用ヘッダー、１６は、屋外に設置された給湯器である。ここで、配管構造７は、一つは、屋外の水道管１４と、屋内の天井内部空間１３に設置された分岐用ヘッダー１５とをつなぐものであり、他の一つは、屋外の給湯器１６と前記分岐用ヘッダー１５とをつなぐものであり、これら配管構造７、７における給液管６、６は、外壁２の内側の壁内空間４を、貫通孔２ａの上方側から配管され、また、給液管６、６の他方端６ｂ、６ｂは、建物１の上階側に設置される分岐用ヘッダー１５に接続されている。
【００２９】
こうして、水道管１４から供給される水は、一つの配管構造７を介して、分岐用ヘッダー１５に送られ、次いで、その分岐用ヘッダー１５から分岐して、他の配管構造７を介して、屋外の給湯器１６に送られる。そして、図示しないが、給湯器１６から出た湯は、さらに他の配管構造７を介して、屋内に導かれる。
【００３０】
次に、この配管構造７における、給液管６の配管方法を説明する。まず、図４に示すように、ドリル１７を使用して、外壁２に、その外面２ｂ側から、貫通孔２ａを明ける際のガイドとなるガイド穴２ｄを明ける。ここで、このガイド穴２ｄを明けるには、予め、ドリル１７が所要の方向に進むよう案内する案内部１８ａを備えたガイド穴明け補助部材１８を、外壁２の外面２ｂに、釘等の固定具１８ｂにより、固定しておく。そして、このガイド穴明け補助部材１８は、ガイド穴２ｄが明けられた後には、外壁２から取り外される。
【００３１】
その後、図５に示すように、ＡＬＣコアドリル１９により、外壁２に、貫通孔２ａを穿設する。ここで、このＡＬＣコアドリル１９は、貫通孔２ａを穿設するための、コアドリル部１９ａと、そのコアドリル部１９ａよりも先端部分に、ちょうどガイド穴２ｄに嵌まるガイドドリル部１９ｂとからなっている。そして、このガイドドリル部１９ｂが、ガイド穴２ｄに案内されて、所要の方向、つまり外壁２の外面２ｂから内面２ｃに進むにつれて上方に向かうように、傾斜して、貫通孔２ａが穿設される。
【００３２】
その後、図６に示すように、予め外壁２に沿うようにしてその外壁２の内側の壁内空間４に配管されている鞘管５の一方端５ａを、貫通孔２ａを通すようにして、外壁２の外側に引き出す。そして、その引き出された、鞘管５の一方端５ａに、ボックス本体８ａの鞘管挿入部８ｋを嵌めるようにして、ボックス本体８ａを接続する。そして、鞘管５を外壁２内に押し戻すようにして、ボックス本体８ａを、固着具１０、１０を用いて、外壁２の外側において貫通孔２ａを覆うように外壁２に取り付ける（図７参照）。
【００３３】
次いで、図７に示すように、鞘管５内に、給液管６を挿通するとともに、鞘管５の一方端５ａ側に位置する、給液管６の一方端６ａを、ボックス本体８ａの前面から外壁２の外側に出す。そして、給液管６の一方端６ａに、継手９の他方端９ｃを、第２の接続ナット９ｄにより接続する。さらに、給液管６を前記ボックス本体８ａ内に押し込むようにして、継手９をボックス本体８ａの枠状部８ｆ内に収容し、その継手９を、固着具１１、１１を用いて、ボックス本体８ａに取り付ける（図８、図２参照）。
【００３４】
その後、図８に示すように、カバー８ｂを、ボックス本体８ａに嵌める。こうして、継手９は、給液ボックス８内に収容されて、一方端９ａの第１の接続ナット９ｂの先端部分が、カバー８ｂの開口孔８ｎから突出するようにして、外壁２の外側に臨む（図１参照）。
【００３５】
次に、以上の構成からなる給液管６の配管構造７および、給液管６の配管方法の作用効果について説明する。外壁２の内側の壁内空間４に鞘管５とともに配管される給液管６は、外壁２に穿設される貫通孔２ａを介して、また、給液管６の一方端６ａに接続される継手９を介して、外壁２の外側に臨むこととなり、液体を、外壁２の外側から内側に導いたり、逆に、外壁２の内側から外側に導いたりすることができる。
【００３６】
また、貫通孔２ａは、外壁の外面２ｂから内面２ｃに進むにつれて上方に向かうように、傾斜して穿設されており、この貫通孔２ａ内に、雨水が、入り込んだとしても、その雨水は、貫通孔２ａに沿って下方、つまり外壁２の外面２ｂ側に流れて、外側に排出される。従って、外壁２に貫通孔２ａがあるにも拘らず、外壁２の内側への雨水の浸入を防ぐことができる。
【００３７】
また、貫通孔２ａが、このように傾斜して穿設されているので、貫通孔２ａの上方側の外壁２の内面２ｃから、貫通孔２ａに至る角度が鈍角となっている。よって、外壁２の内側の壁内空間４を、貫通孔２ａの上方側から配管される給液管６は、給液管６への継手９の接続等の際の、その給液管６を外壁２の外側に出したりまたは給液ボックス８のボックス本体８ａ内に押し込んだりする作業において、外壁２の内側から貫通孔２ａに入る部分で、滑らかに湾曲する。従って、給液管６が、相当の剛性を有する場合であっても、その給液管６を、外壁２の外側に出したり、または、給液ボックス８のボックス本体８ａ内に押し込んだりという、給液管６の出し入れ作業を容易にすることができる。
【００３８】
また、上記、給液管６の出し入れ作業を容易にするという効果は、貫通孔２ａを外壁２の厚さ方向と同一方向に穿設した場合であっても、その貫通孔２ａの径を大きくすることで期待できるが、その場合には、外壁２の躯体強度や美観等を害することとなる。しかし、上述の配管構造７のように、貫通孔２ａを傾斜して穿設することにより、その貫通孔２ａの径を小さくすることができ、この場合には、外壁２の躯体強度や美観等を損なうことがない。
【００３９】
なお、本発明は、上述した実施の形態に限定されるわけではなく、その他種々の変更が可能である。例えば、外壁２は、ＡＬＣパネルでなくとも、その他の材料からなるものであってもよく、また、外壁２の厚さは、７５ｍｍないし１００ｍｍでなくとも、それ以上であっても、また、それ以下であってもよい。
【００４０】
また、貫通孔２ａは、外壁２の外面２ｂから内面２ｃに進むにつれて上方に向かうように、傾斜して穿設されるものであれば、その角度は、４５度でなくとも、その他の角度であってもよく、また、貫通孔２ａの軸心が直線とならなくとも、円弧等湾曲するものであってもよい。
【００４１】
外壁２の内側に配管される給液管６は、継手９等を介して、外壁２の外側に設置される水道管１４や給湯器１６につながれるだけでなく、水栓その他の設備につながれてもよい。
【００４２】
また、給液管６は、可撓性を有するものであれば、架橋ポリエチレン樹脂製でなくとも、その他の樹脂材料等からなっていてもよい。
【００４３】
また、給液管６は、外壁２の内側に配管されるものであれば、外壁２に沿うようにして配管されなくともよく、例えば、図３における天井内部空間１３を横切って外壁２の外側に臨むことができるように、外壁２に対して略直交する方向に延びるようにして、外壁２の内側へと配管されるものであってもよい。
【００４４】
【発明の効果】
以上、詳述したところから明らかなように、この発明に係る給液管の配管方法によれば、次の効果がある。
【００４５】
【００４６】
【００４７】
請求項１に記載された給液管の配管方法によれば、建物の外壁の内側に配管される給液管を外壁の外側に臨ませる配管方法において、貫通孔内に、雨水が入り込んだとしても、その雨水は、貫通孔内を流れて、外壁の外側に排出されるので、外壁の内側への雨水の浸入を防ぐことができる。また、給液管が、外壁の内側を、貫通孔の上方側から配管される場合には、給液管を、外壁の外側に出したり、また、給液ボックス内に押し込んだりという、給液管の出し入れ作業において、給液管が、外壁の内側から貫通孔に入る部分で、滑らかに湾曲するので、給液管の出し入れ作業を容易にすることができる。
【図面の簡単な説明】
【図１】この発明に係る給液管の配管方法の一実施の形態の、断面図である。
【図２】同じく、カバーを取り外した状態の拡大正面図である。
【図３】同じく、鞘管ヘッダー構造の断面図である。
【図４】同じく、給液管の配管方法を順を追って説明するための、第１番目の断面図である。
【図５】同じく、給液管の配管方法を順を追って説明するための、第２番目の断面図である。
【図６】同じく、給液管の配管方法を順を追って説明するための、第３番目の断面図である。
【図７】同じく、給液管の配管方法を順を追って説明するための、第４番目の断面図である。
【図８】同じく、給液管の配管方法を順を追って説明するための、第５番目の断面図である。
【図９】従来の、給液管の配管構造を示す断面図である。
【図１０】従来の、給液管の配管方法を示す断面図である。
【符号の説明】
１  建物                        ２  外壁
２ａ  貫通孔                    ２ｂ  外面
２ｃ  内面                      ５  鞘管
５ａ  一方端                    ６  給液管
６ａ  一方端                    ６ｂ  他方端
８  給液ボックス
８ａ  ボックス本体              ９  継手
【図１】
0003628191.tif 000002
【図２】
0003628191.tif 000003
【図３】
0003628191.tif 000004
【図４】
0003628191.tif 000005
【図５】
0003628191.tif 000006
【図６】
0003628191.tif 000007
【図７】
0003628191.tif 000008
【図８】
0003628191.tif 000009
【図９】
0003628191.tif 000010
【図１０】
0003628191.tif 000011